(57)【要約】【課題】外観が良い洗面キャビネット及び洗面化粧台を提供する。【解決手段】洗面ボウル１１の上方に配されるキャビネット本体２２と、前記キャビネット本体２２の下面に配される光源部３３及び前記光源部３３の下方を覆うカバー３４を有する照明部３０と、を備え、前記照明部３０が、前記キャビネット本体２２の下面の奥行きにおいて露出した部分の全域を覆っている。【選択図】図２
2019162210.tif 000002
【特許請求の範囲】
【請求項１】
洗面ボウルの上方に配されるキャビネット本体と、
前記キャビネット本体の下面に配される光源部及び前記光源部の下方を覆うカバーを有する照明部と、を備え、
前記照明部が、前記キャビネット本体の下面の奥行きにおいて露出した部分の全域を覆っている洗面キャビネット。
【請求項２】
前記照明部が、前記光源部をケース部に収納してなる照明ユニットであり、
前記ケース部が前記カバーを構成している請求項１に記載の洗面キャビネット。
【請求項３】
前記カバーが、前記光源部の光を通過させる透光部を有し、
前記透光部が、前記奥行きの前後方向中央より前側から奥側にわたって配されている請求項１または請求項２に記載の洗面キャビネット。
【請求項４】
前記キャビネット本体の収納部を開閉する扉部を備え、
前記扉部の下端が、前記カバーの前端部の下端より下方に位置している請求項１ないし請求項３のいずれか一項に記載の洗面キャビネット。
【請求項５】
洗面ボウルを有する洗面台と、
請求項１ないし請求項４のいずれか一項に記載の洗面キャビネットと、
を備えている洗面化粧台。
【発明の詳細な説明】
【技術分野】
【０００１】
本発明は、洗面キャビネット及び洗面化粧台に関する。
【背景技術】
【０００２】
従来、洗面ボウルの上方にキャビネットが備えられた洗面化粧台が知られている。このような洗面化粧台において、洗面ボウルを照明するために、キャビネットの下面に照明具を取り付けることが知られている。例えば下記特許文献１には、キャビネット下面の前部に、横長の箱状をなす照明具を取り付けることが記載されている。
【先行技術文献】
【特許文献】
【０００３】
【特許文献１】特許第６１４１１０７号公報
【発明の概要】
【発明が解決しようとする課題】
【０００４】
しかしながら、上記のような構成では、キャビネットの下面において照明具の後に、照明具とキャビネットとの境界が形成される。このような境界には汚れが付着しがちであり、掃除もし難いため、外観が悪いという問題がある。
【０００５】
本発明は上記のような事情に基づいて完成されたものであって、外観が良い洗面キャビネット及び洗面化粧台を提供することを目的とする。
【課題を解決するための手段】
【０００６】
本発明の洗面キャビネットは、洗面ボウルの上方に配されるキャビネット本体と、前記キャビネット本体の下面に配される光源部及び前記光源部の下方を覆うカバーを有する照明部と、を備え、前記照明部が、前記キャビネット本体の下面の奥行きにおいて露出した部分の全域を覆っているものである。
本発明の洗面化粧台は、洗面ボウルを有する洗面台と、前記洗面キャビネットと、を備えているものである。
【発明の効果】
【０００７】
本発明によれば、キャビネット本体の下面の奥行きにおける露出部分（視認できるところ）に、光源部を覆うカバーとキャビネット本体との境界が形成されないから、外観を良くすることができる。
【図面の簡単な説明】
【０００８】
【図１】実施例１における洗面化粧台を示す正面図
【図２】洗面化粧台を示す側面図
【図３】照明ユニットを示す正面図
【図４】照明ユニットを示す断面図であって、図３のＡ−Ａ位置における断面に相当する断面図
【図５】照明ユニットを示す底面図
【図６】照明ユニットを示す断面図であって、図５のＢ−Ｂ位置における断面に相当する断面図
【図７】光源部を示す平面図
【図８】実施例２における洗面化粧台を示す正面図
【図９】洗面化粧台の一部拡大側面図
【発明を実施するための形態】
【０００９】
本発明の好ましい形態を以下に示す。
本発明の洗面キャビネットは、前記照明部が、前記光源部をケース部に収納してなる照明ユニットであり、前記ケース部が前記カバーを構成しているものとしてもよい。このような構成によれば、照明ユニットをキャビネット本体の下面に取り付ければよいから、キャビネット本体の下面に光源部及びカバーをそれぞれ取り付ける場合に比して、取り付け作業を容易に行うことができる。
【００１０】
また、本発明の洗面キャビネットは、前記カバーが、前記光源部の光を通過させる透光部を有し、前記透光部が、前記奥行きの前後方向中央より前側から奥側にわたって配されているものとしてもよい。このような構成によれば、透光部が奥行きの前側のみに配されている場合に比して奥側まで明るくすることができる。
【００１１】
また、本発明の洗面キャビネットは、前記キャビネット本体の収納部を開閉する扉部を備え、前記扉部の下端が、前記カバーの前端部より下方に位置しているものとしてもよい。このような構成によれば、キャビネット本体の下面の奥行き全幅をカバーで覆う構成であっても、扉部の下端に指を引掛けて容易に扉部を開けることができる。
【００１２】
＜実施例１＞
以下、本発明を具体化した実施例１について、図１〜図７を参照しつつ詳細に説明する。
本実施例における洗面化粧台１０は、洗面ボウル１１を有する洗面台１２と、洗面台１２の上方に配される洗面キャビネット２０とを備えている。以下、各構成部材において、洗面化粧台１０の使用状態において使用者に面する側を前方、その反対側を後方とし、また上側（図１の上側）を上方、下側（図１の下側）を下方として説明する。
【００１３】
洗面台１２は、洗面ボウル１１と、洗面ボウル１１の下方に設けられた支持台１３とを備えている。支持台１３は、本実施例では観音開き式のキャビネットとされている。支持台１３は、洗面ボウル１１を支持するものであればどのようなものであってもよく、例えば引き出し式のキャビネットやフレームのみで構成された台等であってもよい。
【００１４】
洗面ボウル１１は、支持台１３の上面に設けられ、下方に凹んだ形態をなしている。洗面ボウル１１は、平面視、横長の方形状をなし、洗面台１２の上面全体に広がる大きさを有している。洗面ボウル１１の下面は左側（図１では右側）に向かって下がる傾斜をなし、左端部には排水孔１４が設けられている。
【００１５】
洗面台１２の上面の後端部には、図２に示すように、バックガード１５が立設されている。バックガード１５は、洗面ボウル１１の後縁に沿って、洗面台１２の全幅にわたっている。バックガード１５には水栓装置１６が備えられている。水栓装置１６は、洗面ボウル１１に向けて水を吐出する吐水口１７を備えている。吐水口１７は、バックガード１５の前面から洗面ボウル１１の上方に突出している。
【００１６】
洗面キャビネット２０は、内部に収納部を有するとともに前面に鏡２１が備えられたミラーキャビネットである。洗面キャビネット２０は、キャビネット本体２２と、キャビネット本体２２の下面に配される照明ユニット３０とを備えている。キャビネット本体２２の幅寸法は、洗面台１２の全幅にわたる寸法とされている。キャビネット本体２２の前後方向の寸法は、図２に示すように、バックガード１５の前後方向の寸法より大きく、キャビネット本体２２の前側の部分がバックガード１５より前方に突出している。
【００１７】
キャビネット本体２２は、底面部２３（図４参照）と、底面部２３の左右両端から上方に立つ一対の側面部２４と、底面部２３の後端から上方に立つ背面部２５と、一対の側面部２４及び背面部２５の上端にわたされた天面部２６とを備えている。キャビネット本体２２の内部には、図示はしないが、左右一対の仕切り壁が設けられ、収納部は３つに区画されている。
【００１８】
洗面キャビネット２０は、キャビネット本体２２の収納部を開閉する扉部２７を備えている。扉部２７は、キャビネット本体２２の前面に３枚が横並びに設けられている（図１参照）。各扉部２７は、軸線が上下方向を向いた図示しない回動軸を中心に、収納部を開放する開放状態と閉塞する閉塞状態とに回動自在とされている。各扉部２７の前面には鏡２１が備えられている。
【００１９】
照明ユニット３０は、図４に示すように、光源部３３と、光源部３３を収納するケース部３４とを備えている。照明ユニット３０は、全体として横長の扁平な箱状をなし、キャビネット本体２２とバックガード１５とに挟まれるようになっている（図２参照）。
【００２０】
照明ユニット３０の断面（長手方向に直交する方向の断面）は、図４に示すように、前後方向に長い長方形状をなしている。照明ユニット３０は、キャビネット本体２２とバックガード１５とに挟まれて視認されない部分（以後、非視認部３１と称する）と、バックガード１５の前方に突出して視認されうる部分（以後、視認部３２と称する）とを備えている。非視認部３１は照明ユニット３０の後側の部分であり、視認部３２は照明ユニット３０の前側の部分である。
【００２１】
照明ユニット３０の前端は、キャビネット本体２２の前端（扉部２７の前端）に至っている。すなわち、照明ユニット３０は、キャビネット本体２２の下面の奥行きにおける露出部分（視認できる範囲）の全域を覆っている。照明ユニット３０の前面には、照明のオンオフを切り替える操作を行うためのスイッチ３５が備えられている。
【００２２】
光源部３３は、図４及び図６に示すように、本実施例では複数のＬＥＤ３６を基板３７に並べてなるＬＥＤ基板とされ、全体として細長い形状をなしている。光源部３３は、洗面台１２の概ね全幅にわたる長さ寸法を有している。ＬＥＤ３６は、発光色が白色（昼光色または電球色等を含む）のものである。複数のＬＥＤ３６は、基板３７の一面に長手方向に沿って所定の間隔をあけて配置されている（図６参照）。
【００２３】
照明ユニット３０は、図４に示すように、光源部３３を支持するフレーム部３８を備えている。フレーム部３８は、細長い箱状をなしている。フレーム部３８は、ケース部３４の後端部に収納されるようになっており、フレーム部３８の前面に光源部３３が固定されている。フレーム部３８の外面（上下両面）は、ケース部３４の内面（上下両面）に沿って配される。
【００２４】
フレーム部３８には、ケース部３４に対する挿抜を案内するガイド部（以後、光源側ガイド部３９と称する）が設けられている。光源側ガイド部３９は、溝状をなしてフレーム部３８の長手方向に延び、フレーム部３８の全長にわたって形成され、両端は延び方向に開放されている。
【００２５】
ケース部３４は、図４及び図５に示すように、キャビネット本体２２の下面（底面部２３の下面）に沿う上板部４１と、バックガード１５の上面に沿う下板部４２と、上板部４１の前端から下板部４２の前端に垂下する前板部４３と、上板部４１の後端から下板部４２の後端に垂下する後板部４４と、上板部４１の左右両端から下板部４２の左右両端に垂下する一対の側板部４５とを備えている。ケース部３４は、光源部３３の下方を覆うカバーを構成している。
【００２６】
ケース部３４は、長手方向における両端が開口した角筒状をなすケース本体４６を有し、一対の側板部４５は、ケース本体４６の両端の開口を塞ぐキャップとなっている（図６参照）。ケース本体４６には、光源側ガイド部３９と係合してフレーム部３８の挿抜を案内するケース側ガイド部４８が設けられている（図４参照）。ケース側ガイド部４８は、ケース本体４６の内面に突設された突条であり、ケース本体４６の全長にわたり連続して延びている。
【００２７】
ケース部３４に光源部３３を収容するときには、側板部４５を取り外した状態のケース本体４６の端からフレーム部３８をケース本体４６の内部に挿入する。この際、光源側ガイド部３９の位置がケース側ガイド部４８の位置に合うようにする。これにより、フレーム部３８は、ケース本体４６に対して正しい取付位置（本実施例ではケース本体４６の後端部）に取り付けられる。また、光源側ガイド部３９とケース側ガイド部４８とが係合することにより、フレーム部３８の挿入が真っ直ぐに案内される。ケース本体４６にフレーム部３８を収容した後、側板部４５を取り付ける。側板部４５はケース本体４６の開口を液密にシールし、光源部３３は防水、保護される。
【００２８】
ケース部３４は、光源部３３からの光を通過させる透光部４９を有している（図４参照）。透光部４９は、板状に成形されたケース部３４の内部を視認できない程度の半透明の合成樹脂製であり、ケース部３４の下板部４２の一部を構成している。
【００２９】
透光部４９は、照明ユニット３０の視認部３２に設けられている。透光部４９の左右方向の寸法（幅寸法）は、図５に示すように、ケース部３４の幅全体にわたる寸法とされている。また、透光部４９の前後方向の寸法（奥行）は、前板部４３の近傍からバックガード１５の前面の近傍にわたる寸法とされている。透光部４９は、視認部３２の前後方向中央より前側から奥側にわたっており、視認部３２の半分以上の領域を占めている。
【００３０】
次に、上記のように構成された実施例の作用および効果について説明する。
本実施例の洗面キャビネット２０は、洗面ボウル１１の上方に配されるキャビネット本体２２と、キャビネット本体２２の下面に配される光源部３３及び光源部３３の下方を覆うケース部３４を有する照明ユニット３０と、を備え、照明ユニット３０が、キャビネット本体２２の下面の奥行きにおいて露出した部分の全域を覆っている。この構成によれば、キャビネット本体２２の下面の奥行きにおいて視認できる範囲に、光源部３３を覆うカバーとキャビネット本体２２との境界が形成されない。したがって、キャビネットの下面を掃除しやすく、また照明ユニット３０のみ視認され、すっきりしてデザイン性に優れているから、外観を良くすることができる。
【００３１】
また、洗面キャビネット２０は、光源部３３がケース部３４に収納された照明ユニット３０を有している。この構成によれば、照明ユニット３０をキャビネット本体２２の下面に取り付ければよいから、キャビネット本体２２の下面に光源部及びカバーをそれぞれ取り付ける場合に比して、取り付け作業を容易に行うことができる。
【００３２】
また、ケース部３４が、光源部３３の光を通過させる透光部４９を有し、透光部４９が、キャビネット本体２２の下面の視認できる範囲の奥行きの前後方向中央の奥側にわたって配されている。この構成によれば、透光部が奥行きの前側のみに配されている場合に比して奥側まで明るくすることができる。
【００３３】
＜実施例２＞
次に、本発明を具体化した実施例２に係る洗面キャビネット６０を図８及び図９によって説明する。
本実施例の洗面キャビネット６０は、扉部２７の下端が、ケース部６１の前端部より下方に位置している点で、実施例１とは相違する。なお、実施例１と同様の構成には同一符号を付して重複する説明を省略する。
【００３４】
本実施例の洗面キャビネット６０は、実施例１と同様、洗面ボウル１１の上方に配されるキャビネット本体２２と、キャビネット本体２２の下面に配される光源部３３と、光源部３３の下方を覆うケース部６１とを備え、ケース部６１が、キャビネット本体２２の下面の奥行きにおいて視認できる範囲の全幅を覆っている。
【００３５】
キャビネット本体２２の扉部２７は、図９に示すように、キャビネット本体２２の下面よりも下方に突出した部分（以後、扉下端部６２と称する）を有している。扉下端部６２の下面は、照明ユニット３０の下面と等しい高さ位置もしくは、照明ユニット３０の下面より下側の高さ位置に配されている。
【００３６】
ケース部６１は、図９に示すように、前板部４３の前面からキャビネット本体２２の下面に沿うように突出した覆い部６３を有している。覆い部６３は、キャビネット本体２２の下面のうち前板部４３の前面からキャビネット本体２２の前端までを覆っている。覆い部６３の上下方向の寸法は前板部４３の上下方向の寸法より小さくされている。覆い部６３は、前板部４３と一体成形されたケース部６１の一部である。すなわち、覆い部６３を含むケース部６１は一部品である。
【００３７】
ケース部６１の前端部には、下端の角が凹んだ形態の段差凹部６４が形成されている。段差凹部６４は、ケース部６１の左右方向における全幅にわたって形成されている。段差凹部６４の上下方向の寸法及び前後方向の寸法は、使用者の指先を差し入れることが可能な寸法とされている。
【００３８】
以上のように本実施例においては、実施例１と同様、キャビネット本体２２の下面が照明ユニット３０で覆われているから、外観を良くすることができる。また、扉部２７の下端が、照明ユニット３０の前端部（覆い部６３）より下方に位置しているから、キャビネット本体２２の下面の奥行き全幅を照明ユニット３０で覆う構成であっても、扉部２７の下端に指を引掛けて容易に扉部２７を開けることができる。
【００３９】
＜他の実施例＞
本発明は上記記述及び図面によって説明した実施例に限定されるものではなく、例えば次のような実施例も本発明の技術的範囲に含まれる。
（１）上記実施例では、キャビネット本体２２が底面部２３を備えているが、これに限らず、例えばキャビネット本体の底面部をなくし、代わりに照明ユニットがキャビネット本体の底面を構成するようにしてもよい。
（２）上記実施例では、キャビネット本体２２の下面の左右方向における全幅が照明ユニット３０で覆われているが、これに限らず、照明ユニットは、キャビネット本体の下面の左右方向における一部のみを覆う、すなわち照明ユニットはキャビネット本体の下面に、左右方向に部分的に設けられていてもよい。
（３）上記実施例では、洗面キャビネット２０（６０）の前面の全体に鏡２１が備えられているが、これに限らず、洗面キャビネットの形態はどのようなものであってもよく、例えば洗面キャビネットの前面の左右方向における中央のみに鏡が配され、左右両側は収納部とされたものでもよい。
（４）上記実施例では、キャビネット本体２２が収納部を開閉する扉部２７を備えているが、これに限らず、キャビネット本体は扉部を備えなくてもよい。
（５）上記実施例では、光源部３３を覆うカバーが光源部３３を収納するケース部３４（６１）である場合を例示したが、これに限らず、カバーは、光源部を収納しない単なる覆いであってもよく、光源部の下方を覆うことが可能な形状（例えば板状や浅い皿状）をなすものであってもよい。
（６）上記実施例では、照明ユニット３０の構成を例示したが、照明ユニットの構成は適宜変更してもよく、例えばケース部の内部に反射板等の光学部材を配置してもよいし、ＬＥＤ基板の形態、位置また向き等を変更してもよい。
（７）上記実施例では、光源部３３がＬＥＤ基板とされているが、これに限らず、光源部は、例えば蛍光灯であってもよい。
（８）上記実施例では、透光部４９が視認部３２のみに設けられているが、これに限らず、透光部４９は、視認部３２のみならず非視認部３１まで至って形成されていてもよい。
（９）上記実施例では、光源側ガイド部３９が溝であり、ケース側ガイド部４８が突条である場合を例示したが、ガイド部の構成はこれに限らず、例えば光源側ガイド部が突条であり、ケース側ガイド部が溝であってもよい。
【符号の説明】
【００４０】
１０…洗面化粧台
１１…洗面ボウル
２０，６０…洗面キャビネット
２２…キャビネット本体
２７…扉部
３０…照明ユニット（照明部）
３３…光源部
３４，６１…ケース部（カバー）
４９…透光部
【図１】
2019162210.tif 000003
【図２】
2019162210.tif 000004
【図３】
2019162210.tif 000005
【図４】
2019162210.tif 000006
【図５】
2019162210.tif 000007
【図６】
2019162210.tif 000008
【図７】
2019162210.tif 000009
【図８】
2019162210.tif 000010
【図９】
2019162210.tif 000011